(57)【特許請求の範囲】
【請求項１】
複数のノードエリアに分割されたＣＡＴＶ（ｃａｂｌｅ  ｔｅｌｅｖｉｓｉｏｎ）サービスエリア内のノード光装置を介してセンタから各加入者端末へのＦＤＭ（Ｆｒｅｑｕｅｎｃｙ  Ｄｉｖｉｓｉｏｎ  Ｍｕｌｔｉｐｌｅｘｉｎｇ）方式による放送及び中速の通信サービスと、ＩＰ（Ｉｎｔｅｒｎｅｔ  Ｐｒｏｔｏｃｏｌ）による高速の通信サービスとを、前記高速の通信サービスを統合するＦＴＴＨ（Ｆｉｂｅｒ  Ｔｏ  Ｔｈｅ  Ｈｏｍｅ）方式にて行うＣＡＴＶ伝送方法であって、
前記ノード光装置及び前記加入者端末各々に、前記ノード光装置及び前記加入者端末との間の通信をＣＷＤＭ（Ｃｏａｒｓｅ  Ｗａｖｅｌｅｎｇｔｈ  Ｄｉｖｉｓｉｏｎ  Ｍｕｌｔｉｐｌｅｘｉｎｇ：低密度波長多重）方式を用いて行うＣＷＤＭカプラを設け、
前記ノード光装置と前記加入者端末との間の加入者アクセスラインを光ファイバ１芯とするとともに、前記加入者アクセスラインにおける光増幅機能を不要とすることを特徴とするＣＡＴＶ伝送方法。
【請求項２】
複数のノードエリアに分割されたＣＡＴＶ（ｃａｂｌｅ  ｔｅｌｅｖｉｓｉｏｎ）サービスエリア内のノード光装置を介してセンタから各加入者端末へのＦＤＭ（Ｆｒｅｑｕｅｎｃｙ  Ｄｉｖｉｓｉｏｎ  Ｍｕｌｔｉｐｌｅｘｉｎｇ）方式による放送及び中速の通信サービスと、ＩＰ（Ｉｎｔｅｒｎｅｔ  Ｐｒｏｔｏｃｏｌ）による高速の通信サービスとを、前記高速の通信サービスを統合するＦＴＴＨ（Ｆｉｂｅｒ  Ｔｏ  Ｔｈｅ  Ｈｏｍｅ）方式にて行うＣＡＴＶ伝送システムであって、
前記ノード光装置及び前記加入者端末各々に、前記ノード光装置及び前記加入者端末との間の通信をＣＷＤＭ（Ｃｏａｒｓｅ  Ｗａｖｅｌｅｎｇｔｈ  Ｄｉｖｉｓｉｏｎ  Ｍｕｌｔｉｐｌｅｘｉｎｇ：低密度波長多重）方式を用いて行うＣＷＤＭカプラを有し、
前記ノード光装置と前記加入者端末との間の加入者アクセスラインを光ファイバ１芯とするとともに、前記加入者アクセスラインにおける光増幅機能を不要とすることを特徴とするＣＡＴＶ伝送システム。
【発明の詳細な説明】
【０００１】
【発明の属する技術分野】
本発明はＣＡＴＶ伝送方法及びそれを用いたＣＡＴＶ伝送システムに関し、特に放送サービスと通信サービスとを同時に実現するＣＡＴＶ（ｃａｂｌｅ  ｔｅｌｅｖｉｓｉｏｎ）伝送システムに関する。
【０００２】
【従来の技術】
従来、放送サービス及び通信サービスを同時に実現するＣＡＴＶ伝送システムとしては、ＨＦＣ（光同軸ハイブリッドネットワーク）の伝送信号にギガビットイーサネット（Ｒ）を用いるネットワークの伝送信号を波長多重するシステム、全ネットワークを光ファイバで構成するＦＴＴＨ（Ｆｉｂｅｒ  Ｔｏ  Ｔｈｅ  Ｈｏｍｅ）システムがある。
【０００３】
このＦＴＴＨシステムの構成例を図２に示す。図２において、ＦＴＴＨシステムはＨＦＣの伝送信号にギガビットイーサネット（Ｒ）を用いるネットワークの伝送信号を波長多重したものであり、センタ（Ｃｅｎｔｅｒ）６とノード（Ｎｏｄｅ）７〜１０とをＨＦＣ光ループで接続して構成している。
【０００４】
尚、センタ（Ｃｅｎｔｅｒ）６及びノード（Ｎｏｄｅ）７〜１０は光スプリッタ（Ｏｐｔｉｃａｌ  Ｓｐｌｉｔｔｅｒ）やＷＤＭ（Ｗａｖｅｌｅｎｇｔｈ  Ｄｉｖｉｓｉｏｎ  Ｍｕｌｔｉｐｌｅｘｉｎｇ）カプラ等を介してＨＦＣ光ループで接続されている。
【０００５】
また、センタ６はアナログ放送、ディジタル放送、インタネットに接続されるセンタ設備と、ＦＴＸ（Ｆｏｒｗｏｒｄ  Ｏｐｔｉｃａｌ  Ｔｒａｎｓｍｉｔｔｅｒ）と、ＲＲＸ（Ｒｅｔｕｒｎ  Ｏｐｔｉｃａｌ  Ｒｅｃｅｉｖｅｒ）と、ＣＧＵ（Ｃｅｎｔｒａｌ  Ｇｉｇａｂｉｔ−Ｅｔｈｅｒ  Ｕｎｉｔ）とを含んで構成され、ノード７〜１０はそれぞれＦＲＸ（Ｆｏｒｗｏｒｄ  Ｏｐｔｉｃａｌ  Ｒｅｃｅｉｖｅｒ）と、ＲＴＸ（Ｒｅｔｕｒｎ  Ｏｐｔｉｃａｌ  Ｔｒａｎｓｍｉｔｔｅｒ）と、ＣＧＵと、ＳＧＵ（Ｓｕｂｓｃｒｉｂｅｒ  Ｇｉｇａｂｉｔ−Ｅｔｈｅｒ  Ｕｎｉｔ）とを含んで構成されている。
【０００６】
また、全ネットワークを光ファイバで構成するＦＴＴＨシステムの構成例を図３に示す。図３において、このＦＴＴＨシステムはセンタ６１と、ノード６２，６３と、加入者機器６４，６５とから構成されている。
【０００７】
【発明が解決しようとする課題】
上述した従来のＣＡＴＶ伝送システムでは、図２に示すＦＴＴＨシステムの場合、ノード７〜１０と加入者機器（図示せず）との間の伝送媒体が光ファイバ１芯及び同軸ケーブル１本となり、図３に示すＦＴＴＨシステムの場合、ノード６２，６３と加入者機器６４，６５との間の伝送媒体が光ファイバのみであるが、通信用に１芯、放送用に１芯の合計２芯利用するものであり、全体システムとして加入者アクセスラインの材料コストが高額なものとなる。
【０００８】
そこで、本発明の目的は上記の問題点を解消し、最も伝送媒体を使用する加入者アクセスラインの材料コストを低減させることができるＣＡＴＶ伝送方法及びそれを用いたＣＡＴＶ伝送システムを提供することにある。
【０００９】
【課題を解決するための手段】
本発明によるＣＡＴＶ伝送方法は、複数のノードエリアに分割されたＣＡＴＶ（ｃａｂｌｅ  ｔｅｌｅｖｉｓｉｏｎ）サービスエリア内のノード光装置を介してセンタから各加入者端末へのＦＤＭ（Ｆｒｅｑｕｅｎｃｙ  Ｄｉｖｉｓｉｏｎ  Ｍｕｌｔｉｐｌｅｘｉｎｇ）方式による放送及び中速の通信サービスと、ＩＰ（Ｉｎｔｅｒｎｅｔ  Ｐｒｏｔｏｃｏｌ）による高速の通信サービスとを、前記高速の通信サービスを統合するＦＴＴＨ（Ｆｉｂｅｒ  Ｔｏ  Ｔｈｅ  Ｈｏｍｅ）方式にて行うＣＡＴＶ伝送方法であって、
前記ノード光装置及び前記加入者端末各々に、前記ノード光装置及び前記加入者端末との間の通信をＣＷＤＭ（Ｃｏａｒｓｅ  Ｗａｖｅｌｅｎｇｔｈ  Ｄｉｖｉｓｉｏｎ  Ｍｕｌｔｉｐｌｅｘｉｎｇ：低密度波長多重）方式を用いて行うＣＷＤＭカプラを設け、
前記ノード光装置と前記加入者端末との間の加入者アクセスラインを光ファイバ１芯とするとともに、前記加入者アクセスラインにおける光増幅機能を不要としている。
【００１１】
本発明によるＣＡＴＶ伝送システムは、複数のノードエリアに分割されたＣＡＴＶ（ｃａｂｌｅ  ｔｅｌｅｖｉｓｉｏｎ）サービスエリア内のノード光装置を介してセンタから各加入者端末へのＦＤＭ（Ｆｒｅｑｕｅｎｃｙ  Ｄｉｖｉｓｉｏｎ  Ｍｕｌｔｉｐｌｅｘｉｎｇ）方式による放送及び中速の通信サービスと、ＩＰ（Ｉｎｔｅｒｎｅｔ  Ｐｒｏｔｏｃｏｌ）による高速の通信サービスとを、前記高速の通信サービスを統合するＦＴＴＨ（Ｆｉｂｅｒ  Ｔｏ  Ｔｈｅ  Ｈｏｍｅ）方式にて行うＣＡＴＶ伝送システムであって、
前記ノード光装置及び前記加入者端末各々に、前記ノード光装置及び前記加入者端末との間の通信をＣＷＤＭ（Ｃｏａｒｓｅ  Ｗａｖｅｌｅｎｇｔｈ  Ｄｉｖｉｓｉｏｎ  Ｍｕｌｔｉｐｌｅｘｉｎｇ：低密度波長多重）方式を用いて行うＣＷＤＭカプラを備え、
前記ノード光装置と前記加入者端末との間の加入者アクセスラインを光ファイバ１芯とするとともに、前記加入者アクセスラインにおける光増幅機能を不要としている。
【００１３】
すなわち、本発明のＣＡＴＶ伝送システムは、ＦＤＭ（Ｆｒｅｑｕｅｎｃｙ  Ｄｉｖｉｓｉｏｎ  Ｍｕｌｔｉｐｌｅｘｉｎｇ：周波数分割多重）方式による放送及び中速の通信サービスと、ＩＰ（Ｉｎｔｅｒｎｅｔ  Ｐｒｏｔｏｃｏｌ：インタネットプロトコル）とによる高速の通信サービスを統合するＦＴＴＨ（Ｆｉｂｅｒ  Ｔｏ  Ｔｈｅ  Ｈｏｍｅ）方式を用いるＣＡＴＶ伝送システムにおいて、ＣＷＤＭ（Ｃｏａｒｓｅ  Ｗａｖｅｌｅｎｇｔｈ  Ｄｉｖｉｓｉｏｎ  Ｍｕｌｔｉｐｌｅｘｉｎｇ：低密度波長多重）方式を利用することで、ノードと加入者機器との間の光ファイバを１芯で構築可能としている。
【００１４】
上記のように、本発明では、ＣＷＤＭ方式を利用することによって、各加入者アクセスラインを光ファイバ１芯とすることが可能となるので、最も伝送媒体を使用する加入者アクセスラインの材料コストを低減させることが可能となる。
【００１５】
また、加入者アクセスラインは、一般的に、伝送距離が短いので光増幅機能も不要であり、ＣＷＤＭ方式を用いる場合、１．３μｍ帯を利用することも可能となる。さらに、ＣＤＷＭ方式はＤＷＤＭ［Ｄｅｎｓｅ  ＷＤＭ（Ｗａｖｅｌｅｎｇｔｈ  Ｄｉｖｉｓｉｏｎ  Ｍｕｌｔｉｐｌｅｘｉｎｇ）］方式と比較して、使用する波長間隔が広く（２０〜６０ｎｍ）、光学系部品のコストが安価となり、全体システムの経済性を追求可能となる。
【００１６】
【発明の実施の形態】
次に、本発明の実施例について図面を参照して説明する。図１は本発明の一実施例によるＣＡＴＶ（ｃａｂｌｅ  ｔｅｌｅｖｉｓｉｏｎ）伝送システムの構成を示すブロック図である。図１において、本発明の一実施例によるＣＡＴＶ伝送システムはＦＤＭ（Ｆｒｅｑｕｅｎｃｙ  Ｄｉｖｉｓｉｏｎ  Ｍｕｌｔｉｐｌｅｘｉｎｇ：周波数分割多重）方式による放送及び中速の通信サービスと、ＩＰ（Ｉｎｔｅｒｎｅｔ  Ｐｒｏｔｏｃｏｌ：インタネットプロトコル）とによる高速の通信サービスを統合するＦＴＴＨ（Ｆｉｂｅｒ  Ｔｏ  Ｔｈｅ  Ｈｏｍｅ）方式を用いるシステムである。
【００１７】
ＣＡＴＶサービスエリアは複数のノードエリアに分割されており、このｎ個のノードエリア＃１〜＃ｎに対してセンタ１から各ノードエリアへのノード光装置２，３まで光ファイバによる下り／上り双方向伝送を行っている。
【００１８】
センタ１には下り光送信器（ＦＴＸ：Ｆｏｒｗｏｒｄ  Ｏｐｔｉｃａｌ  Ｔｒａｎｓｍｉｔｔｅｒ）／上り光受信器（ＲＲＸ：Ｒｅｔｕｒｎ  ＯｐｔｉｃａｌＲｅｃｅｉｖｅｒ）１２，１４と、ギガビットイーサスイッチ（ＧＥＳＷ：Ｇｉｇａｂｉｔ−Ｅｔｈｅｒ  Ｓｗｉｔｈ）１３と、ＣＷＤＭ（Ｃｏａｒｓｅ  Ｗａｖｅｌｅｎｇｔｈ  Ｄｉｖｉｓｉｏｎ  Ｍｕｌｔｉｐｌｅｘｉｎｇ：低密度波長多重）カプラ１５と、アナログ放送、ディジタル放送、インタネットに接続されるセンタ設備１１とが設けられている。
【００１９】
各セル（ノードエリア）はそれぞれノード光装置２，３及び光ファイバ網１００で構成される。ノード光装置２，３はＣＷＤＭカプラ２１，２３，３１，３３と、ギガビットイーサスイッチ２２，３２とを備えている。
【００２０】
加入者ゲート端末４，５はＣＷＤＭカプラ４１，５１を含んだＦＤＭ光送受信器４２，５２と、イーサネット（Ｒ）信号の光／電気変換を行うメディアコンバータ（ＭＣ）４３，５３及びパーソナルコンピュータ（ＰＣ）４４，５４と、ディジタルセットトップボックス（ＳＴＢ）４５，５５もしくはホームターミナル（図示せず）及びテレビセット（ＴＶ）４６，５６と、ケーブルモデム（ＣＭ）４７，５７及びパーソナルコンピュータ４８，５８とから構成されている。ノード光装置２，３と加入者ゲート端末４，５との間は光ファイバケーブル１芯で接続されている。
【００２１】
この図１を用いて本発明の一実施例によるＣＡＴＶ伝送システムの動作について説明する。まず、下り系の信号について説明する。
【００２２】
放送及び中速な通信サービスの各種下り信号はＦＤＭ多重され、センタ１の下り光送信器／上り光受信器１２，１４によって電気／光変換される。また、高速通信サービス信号（ＩＰデータ）はセンタ１のギガビットイーサスイッチ１３によって電気／光変換される。この２種の光信号をＣＷＤＭカプラ１５において低密度波長多重し、光ファイバに伝送する。
【００２３】
ノード光装置２，３ではＣＷＤＭカプラ２１，３１からのＩＰデータのみ一旦、波長分離を行い、ギガビットイーサスイッチ２２，３２に伝送して、再度、低密度波長多重し、ＣＷＤＭカプラ２３，３３から加入者ゲート端末４，５へ伝送する。
【００２４】
次に、上り系の信号について説明する。上り中継放送及び加入者からの中速な通信サービスの各種上り信号は加入者ゲート端末４，５のＦＤＭ光送受信器４２，５２でＦＤＭ多重され、高速な通信サービスと低密度波長多重したものとをＣＷＤＭカプラ４１，５１を介してノード光装置２，３に伝送する。
【００２５】
ノード光装置２，３ではＣＷＤＭカプラ２３，３３からのＩＰデータのみ一旦、波長分離を行い、ギガビットイーサスイッチ２２，３２に伝送して、再度、低密度波長多重し、ＣＷＤＭカプラ２１，３１からセンタ１へ伝送する。
【００２６】
また、本発明の双方向伝送における低密度波長多重で利用する波長については、１．５μｍ帯を４多重として使用してもよい。しかしながら、加入者アクセスラインは、一般的に、伝送距離が短いので、光増幅機能も不要であり、１．３μｍ帯と１．５μｍ帯との混在もしくは１．３μｍ帯のみを利用することも可能となる。
【００２７】
図１に示す例では、加入者ゲート端末４，５においてＣＷＤＭカプラ４１，５１を含んだＦＤＭ光送受信器４２，５２によってＩＰデータ信号とＦＤＭ信号とが分配結合され、一方の入出力ポートではメディアコンバータ４３，５３を介してパーソナルコンピュータ４４，５４で１０〜１００Ｍｂｐｓクラスの高速なインタネットサービスとの接続を行える仕組みが可能となる。
【００２８】
また、もう一方の入出力ポートではディジタルセットトップボックス４５，５５またはホームターミナルを介してテレビセット４６，５６で映像が受信され、さらにケーブルモデム４７，５７を介してパーソナルコンピュータ４８，５８で数Ｍｂｐｓクラスの中速なインタネットサービスとの接続を行える仕組みが可能となる。
【００２９】
尚、本実施例では、ノード光装置２，３内において、ギガビットイーサスイッチ２２，３２とＣＷＤＭカプラ２１，２３，３１，３３とは分離して設置してもよく、加入者ゲート端末４，５側のＣＷＤＭカプラ４１，５１とＦＤＭ対応用光送受信器４２，５２とを分離してもよい。
【００３０】
また、本実施例では、ディジタルセットトップボックス４５，５５及びケーブルモデム４７，５７にＦＤＭ対応用光送受信機能を含んでもよく、センタ１とノード光装置２，３との間で冗長構成をとってもよい。
【００３１】
さらに、本実施例では既に設置しているＨＦＣシステムを本発明で更新することを考えれば、既にセンタ１とノード光装置２，３との間の光ファイバが敷設されており、予備芯に余裕がある場合にはセンタ１からノード光装置２，３への間においてＣＷＤＭがなくともよく、その時にはノード光装置２，３が加入者ゲート端末４，５側へＣＷＤＭカプラを設けるのみでよい。
【００３２】
さらにまた、本実施例ではＣＷＤＭ方式でなく、ＤＷＤＭ［Ｄｅｎｓｅ  ＷＤＭ（Ｗａｖｅｌｅｎｇｔｈ  Ｄｉｖｉｓｉｏｎ  Ｍｕｌｔｉｐｌｅｘｉｎｇ）］方式を採用してもよい。
【００３３】
このように、本実施例では、ノード光装置２，３と加入者ゲート端末４，５との間の伝送媒体にＣＷＤＭ方式を利用することで、光ファイバ１芯対向となり、全体システムの導入コストを安価にすることができる。よって、最も伝送媒体を使用する加入者アクセスラインの材料コストを低減させることができる。
【００３４】
【発明の効果】
以上説明したように本発明は、ＦＤＭ方式による放送及び中速の通信サービスと、ＩＰとによる高速の通信サービスを統合するＦＴＴＨ方式を用いるＣＡＴＶ伝送システムにおいて、各加入者への高速の通信サービスの通信をＣＷＤＭ方式を用いて行うことによって、最も伝送媒体を使用する加入者アクセスラインの材料コストを低減させることができるという効果が得られる。
【図面の簡単な説明】
【図１】本発明の一実施例によるＣＡＴＶ伝送システムの構成を示すブロック図である。
【図２】従来のＦＴＴＨシステムの構成の一例を示す図である。
【図３】従来のＦＴＴＨシステムの構成の他の例を示す図である。
【符号の説明】
１  センタ
２，３  ノード光装置
４，５  加入者ゲート端末
１１  センタ設備
１２，１４  下り光送信器／上り光受信器
１３，２２，３２  ギガビットイーサスイッチ
１５，２１，２３，
３１，３３，４１，５１  ＣＷＤＭカプラ
４２，５２  ＦＤＭ光送受信器
４３，５３  メディアコンバータ
４４，５４，４８，５８  パーソナルコンピュータ
４５，５５  ディジタルセットトップボックス
４６，５６  テレビセット
４７，５７  ケーブルモデム
【図１】
0004167429.tif 000002
【図２】
0004167429.tif 000003
【図３】
0004167429.tif 000004